(57)【要約】【課題】記録手段がインクをインク受け部に吐出することで生じたミスト状インク滴が媒体支持手段に付着した場合であっても、記録媒体の記録面の裏面が汚損されることを防止する。【解決手段】記録ヘッドカートリッジ１０のノズル１２〜１７に対向して配置されて記録時に記録シート１００の記録面の裏面を支持し記録ヘッドカートリッジ１０のノズル１２〜１７と記録シート１００との間の距離を一定に保つプラテン１２０は、回転自在に設けられて記録シート１１０の裏面を支持する支持用ローラ１２４と、この支持用ローラ１２４を清掃するローラクリーナ１２５とを有する。【選択図】　図６
2004066713.tif 000002
【特許請求の範囲】
【請求項１】
記録媒体を搬送する搬送手段と、ノズルからインクを吐出して記録する記録手段と、前記記録手段を保持し搬送方向と交差する方向に往復走査するキャリッジと、前記記録手段のノズルに対向して配置されて記録時に前記記録媒体の記録面の裏面を支持し前記記録手段のノズルと前記記録媒体との間の距離を一定に保つ媒体支持手段と、前記キャリッジの走査領域内かつ前記記録媒体の搬送領域の外側に位置して前記記録手段のノズルに対向して設けられ前記記録手段から吐出されたインクを回収するためのインク受け部とを備えるインクジェット記録装置において、
前記媒体支持手段は、回転自在に設けられて前記記録媒体の前記裏面を支持する回転体と、前記回転体を清掃する清掃手段とを有することを特徴とするインクジェット記録装置。
【請求項２】
前記媒体支持手段は、前記回転体が、前記記録媒体の搬送に従動して回転される請求項１に記載のインクジェット記録装置。
【請求項３】
前記媒体支持手段は、前記回転体を、前記搬送手段による搬送動作に同期させて回転駆動する駆動手段を有する請求項１に記載のインクジェット記録装置。
【請求項４】
前記清掃手段は、前記回転体に摺接されて設けられて、該回転体の回転に伴って該回転体を清掃する請求項２または３に記載のインクジェット記録装置。
【請求項５】
前記回転体は、前記記録媒体の前記裏面を支持する支持用ローラを有する請求項１ないし４のいずれか１項に記載のインクジェット記録装置。
【請求項６】
前記回転体は、複数の前記支持用ローラと、前記記録媒体の搬送領域の走査方向に平行な幅に亘って設けられ前記複数の支持用ローラが一体に形成された支軸とを有する請求項５に記載のインクジェット記録装置。
【請求項７】
前記清掃手段は、前記支持用ローラの回転に従動して回転される清掃用ローラを有する請求項５または６に記載のインクジェット記録装置。
【請求項８】
前記清掃用ローラは、弾性を有する多孔質部材によって形成される請求項７に記載のインクジェット記録装置。
【発明の詳細な説明】
【０００１】
【発明の属する技術分野】
本発明は、例えば記録シートやフィルム等の記録媒体にインクを吐出して文字や画像等を記録するインクジェット記録装置に関する。
【０００２】
【従来の技術】
一般に、従来のインクジェット記録装置は、長期間にわたって使用されずに放置された場合、インクの粘度が増して記録に適さなくなる。このため、従来のインクジェット記録装置では、記録に適さなくなったインクを強制的に廃棄し、またインクカートリッジの交換後に、インクカートリッジから記録ヘッドカートリッジのノズルまでのインク流路を正常な状態に保つ必要がある。
【０００３】
したがって、従来のインクジェット記録装置は、ノズル内からインクを強制的に吸引して回復するためのキャップやポンプ等を有する回復機構や、記録ヘッドカートリッジのノズル面を常に正常な状態に保つために記録ヘッドカートリッジのノズル面を定期的に拭き取って清掃するための弾性部材を有するワイピング機構を備えている。
【０００４】
また、従来のインクジェット記録装置では、強制吸引やワイピング等の回復動作後に発生する記録ヘッドカートリッジの各色ノズル内の混色を解消するために、インクが予備的に吐出されている。このため、従来のインクジェット記録装置は、記録時に記録シートが搬送される搬送領域の外側に位置して、予備的に吐出されたインクを回収するための予備吐口が設けられている。
【０００５】
そして、予備吐口内には、吐出されたインクを受け止めるとともに受け止めたインクを廃インク収容部に速やかに導くためのインク導通部材としても機能する予備吐吸収体が設けられている。
【０００６】
さらに、予備吐口は、記録中に使用されないノズル内のインクが乾燥することで、濃縮されて濃度が増して記録に適さなくなったインクを一定間隔ごとに予備吐口に向かって吐出することで、ノズル内に残留したインクを廃棄して記録特性を常に適切な状態に保つためにも使用されている。
【０００７】
【発明が解決しようとする課題】
一般に、従来のインクジェット記録装置では、図８に示すように、プラテン２２０の主面上に予備吐口２２２が設けられている。プラテン２２０は、記録ヘッドカートリッジのノズル面に対向されて配置されており、ノズル面に対向する主面上に、記録シート２１０の裏面を支持する複数のリブ２２１が、記録シート２１０の搬送方向と平行にそれぞれ立設されている。プラテン２２０は、複数のリブ２２１で記録シート２１０の裏面を支持するによって、記録時に記録シート２１０の記録面と記録ヘッドカートリッジのノズル面との間の距離をほぼ一定に保っている。
【０００８】
そして、従来のプラテン２２０には、記録ヘッドカートリッジのノズル面に対向する面に、予備吐口２２２が、略矩形状に開口されて設けられている。この予備吐口２２２内には、吐出されたインクを吸収する予備吐吸収体２３０が設けられており、この予備吐吸収体２３０のインク受け面２３１も記録ヘッドカートリッジのノズル面にほぼ平行に対向する平坦面に形成されている。
【０００９】
このため、従来のインクジェット記録装置では、予備吐口２２２内にインクが吐出されたときに、吐出されたインク滴２５０である主滴以外に、この主滴よりも小さく、吐出速度も遅い微小インク滴が副次的に発生する。このような副次的に生じた微小インク滴や主滴は、予備吐吸収体２３０のインク受け面２３１に衝突して弾け飛ぶことによってミスト状になり、このミスト状インク滴２５１を予備吐口２２２の周囲に発生させてしまう。
【００１０】
一方で、予備吐口２２２から吐出されたインク滴２５０は、吐出された際に周囲の空気を引きずることによって、インク滴の周りにこのインク滴の吐出方向に平行な空気流２６０を発生させる。この空気流２６０は、予備吐吸収体２３０のインク受け面２３１に遮られて、予備吐口２２２周囲の四方八方に流動してしまう。
【００１１】
このため、予備吐口２２２周辺に漂っていたミスト状インク滴２５１は、空気流２６０にのって予備吐口２２２周囲の四方八方に拡散する。周囲に拡散したミスト状インク滴２５１のうちで、記録シートの搬送領域側に拡散したミスト状インク滴２５１は、プラテン２２０のリブ２２１上にも付着してしまう不都合があった。
【００１２】
したがって、従来のインクジェット記録装置は、記録するために記録シートを搬送したときに、リブ２２１上に付着したミスト状インク滴２５１が、記録シート２１０の裏面に転写されて、記録シート２１０が汚損されてしまうという問題があった。
【００１３】
そこで、本発明は、記録手段がインクをインク受け部に吐出することで生じたミスト状インク滴が媒体支持手段に付着した場合であっても、記録媒体の記録面の裏面が汚損されることを防止できるインクジェット記録装置を提供することを目的とする。
【００１４】
【課題を解決するための手段】
上述した目的を達成するため、本発明に係るインクジェット記録装置は、記録媒体を搬送する搬送手段と、ノズルからインクを吐出して記録する記録手段と、記録手段を保持し搬送方向と交差する方向に往復走査するキャリッジと、記録手段のノズルに対向して配置されて記録時に記録媒体の記録面の裏面を支持し記録手段のノズルと記録媒体との間の距離を一定に保つ媒体支持手段と、キャリッジの走査領域内かつ記録媒体の搬送領域の外側に位置して記録手段のノズルに対向して設けられ記録手段から吐出されたインクを回収するためのインク受け部とを備える。そして、媒体支持手段は、回転自在に設けられて記録媒体の裏面を支持する回転体と、この回転体を清掃する清掃手段とを有している。
【００１５】
以上のように構成された本発明に係るインクジェット記録装置は、搬送手段によって記録媒体が搬送された際、搬送された記録媒体が、媒体支持手段の回転体によって支持される。そして、このインクジェット記録装置によれば、記録手段がインク受け部にインクを吐出した際に、インク受け部の周囲等から飛散したミスト状インク滴が媒体支持手段に付着した場合であっても、清掃手段によって回転体が清掃されるため、回転体に付着したインク滴が、記録媒体の記録面の裏面に転写されることが防止される。すなわち、媒体支持手段によって支持される記録媒体は、裏面が汚損されることが最小限に抑えられる。
【００１６】
また、本発明に係るインクジェット記録装置が備える媒体支持手段は、清掃手段が、回転体に摺接されて設けられて、回転体の回転に伴って回転体を清掃することが好ましい。これによれば、回転体が回転される際に、清掃手段によって回転体が常に清掃されるため、回転体を常にきれいな状態に保つことが可能になる。
【００１７】
【発明の実施の形態】
以下、本発明の具体的な実施形態ついて図面を参照して説明する。
【００１８】
本実施形態のインクジェット記録装置は、インクジェット記録方式の中でも特に、液体のインクを吐出するために利用されるエネルギーとして熱エネルギーを発生する手段を備え、その熱エネルギーによってインクの状態変化を生起させる方式が採用された記録ヘッドが搭載された記録装置である。この方式が用いられることにより、記録される文字や画像等の高密度化および高精細化を達成している。特に本実施形態では、熱エネルギーを発生する手段として発熱抵抗素子を用い、この発熱抵抗素子によりインクを加熱して膜沸騰させたときに生じる気泡による圧力を利用してインクを吐出しているが、インクを吐出させる方式としては、発熱抵抗素子による方式に限定されることなく、例えばピエゾ素子等の電気機械変換素子を用いて、インクに機械的な振動を与え、この振動による圧力を利用してインクを吐出する方式が採用されてもよい。
【００１９】
また、本実施形態に係るインクジェット記録装置においては、便宜上、文字や画像等の情報が記録される記録媒体として記録シートが適用されるが、例えばフィルムや他のシート材等に記録されるように適用されてもよいことは勿論である。
【００２０】
図１は、本発明に係る実施形態の一例であるインクジェット記録装置（外筐を取り除いた状態）の全体構成を示す斜視図である。図２は、インクジェット記録装置が備える記録ヘッドカートリッジおよびキャリッジの構成を示す斜視図である。
【００２１】
図２に示すように、記録ヘッドカートリッジ１０は、記録情報に応じてインク滴１６１を吐出するノズル部を有する記録素子基板１１を備えている。記録ヘッドカートリッジ１０を着脱可能に搭載可能なキャリッジ２０は、図１に示すように、ガイド軸４０およびガイドレール５０を介して、図１中矢印Ａ方向である主走査方向に往復移動可能に支持されている。キャリッジ２０には、記録ヘッドカートリッジ１０をキャリッジ２０に対して着脱操作するためのカートリッジセットレバー２１が設けられている。
【００２２】
キャリッジ駆動ベルト６０は、キャリッジモータ７０に一体に設けられたキャリッジモータプーリ７１と、アイドラプーリ８０とに張設されており、一端がキャリッジ２０に固定されている。キャリッジ２０は、キャリッジモータ７０によってキャリッジモータプーリ７１が回転駆動されて、キャリッジ駆動ベルト６０が移動されることで、矢印Ａ方向に往復動作される。また、インクジェット記録装置には、ガイド軸４０の軸方向に平行にエンコーダスケール９０が設けられており、このエンコーダスケール９０を、キャリッジ２０に搭載されたエンコーダセンサ２４（図３参照）で読み取ることによって、キャリッジ２０の位置を検出する。
【００２３】
図１に示すように、キャリッジ２０の下方には、記録シート１１０の搬送領域の外側に、記録ヘッドカートリッジ１０の吐出状態を正常に保つための回復ユニット（不図示）が設けられている。この回復ユニットは、記録ヘッドカートリッジ１０のノズル面１８を覆い密閉するキャップ（不図示）と、このキャップを介して記録ヘッドカートリッジ１０のノズル１２〜１７から強制的にインクを吸引するためのポンプ（不図示）と、記録ヘッドカートリッジ１０のノズル面１８を拭き取り清掃するための弾性部材を有するワイピング機構（不図示）とを備えている。
【００２４】
搬送ローラ１００は、ギア列からなる駆動力伝達機構１０１を介してＬＦモータ１０２による駆動力が伝達される。ピンチローラ１０３は、ピンチローラホルダ１０４に回転自在に支持され、かつピンチローラバネ１０５で搬送ローラ１００に付勢されており、搬送ローラ１００の回転に従動して駆動される。
【００２５】
記録時に、記録シート１１０は、搬送ローラ１００とピンチローラ１０３に挟持され、搬送ローラ１００が回転駆動することによって、図１中矢印Ｂ方向に搬送される。
【００２６】
インクジェット記録装置には、記録ヘッドカートリッジ１０のノズル面１８に対向する位置に、記録時に記録シート１１０を支持するためのプラテン１２０が設けられている。プラテン１２０は、シャーシ１５０上に支持されており、回復ユニットと反対側で記録時に記録シート１１０が搬送される搬送領域の外側に位置して、回復ユニットによる回復後に生じた記録ヘッドカートリッジ１０のノズル１２〜１７内の混色を解消するために予備的に吐出されたインクを回収するための予備吐口１２２が設けられている。
【００２７】
予備吐口１２２には、吐出されたインクを受け止めるとともに、受け止めたインクを廃インク収容部（不図示）に導くためのインク導通部材としても機能する予備吐吸収体１３０（図５参照）が設けられている。この予備吐吸収体１３０は、予備吐口１２２に、平坦面をなすインク受け面１３１が臨まされて配置されている。また、プラテン１２０には、搬送された記録シート１１０を支持するローラ部材１２１が回転自在に設けられている。
【００２８】
また、インクジェット記録装置は、積載された記録シート１１０を一枚ずつ分離、給送するオートシートフィーダ１４０を備えている。このインクジェット記録装置において、オートシートフィーダ１４０に積載された記録シート１１０は、給送ローラ（不図示）、搬送ローラ１００やピンチローラ１０３によって記録位置に送られ記録ヘッドカートリッジ１０を搭載したキャリッジ２０の主走査（矢印Ａ方向）によって記録シート１１０上に画像等が記録される。
【００２９】
本実施形態では、図２に示すように、記録ヘッドカートリッジ１０には、カラー記録が可能なように、ブラック（Ｂｋ）用のノズル１２、ライトシアン（ＬＣ）用のノズル１３、ライトマゼンタ（ＬＭ）用のノズル１４、シアン（Ｃ）用のノズル１５、マゼンタ（Ｍ）用のノズル１６およびイエロー（Ｙ）用のノズル１７を有し各色のインクをそれぞれ吐出する記録素子基板１１を備えている。また、記録ヘッドカートリッジ１０は、記録素子基板１１へ供給されるインクを収容したインクカートリッジ１６０が、記録ヘッドカートリッジ１０に対して各色毎に独立して着脱可能に設けられている。
【００３０】
次に、インクジェット記録装置が備える制御系について説明する。図３に、このインクジェット記録装置が備える制御系のブロック図を示す。
【００３１】
図３に示すように、このインクジェット記録装置には、キャリッジ２０を主走査方向に移動させるためのＣＲモータ７１と、記録シート１１０を副走査方向に搬送するためのＬＦモータ１０２と、記録ヘッドカートリッジ１０を正常な状態に保つための回復ユニットを駆動するとともにオートシートフィーダ１４０に積載された記録シート１１０を記録領域まで給送するためのＰＧモータ１７０（給送モータも兼用する）が設けられ、さらに、これら各モータ７１，１０２，１７０と記録ヘッドを駆動するためのメイン制御基板１８０が設けられている。
【００３２】
メイン制御基板１８０は、キャリッジＦＦＣ２２によってキャリッジ基板２３に電気的に接続されるとともに電源ユニット１９０や操作用のフロントパネル２００が電気的に接続されている。また、メイン制御基板１８０には、必要に応じてオプションインターフェースボード２１０が電気的に接続されている。さらに、メイン制御基板１８０には、記録シート１１０のペーパーエンド、オートシートフィーダ１４０のホームポジション、回復ユニットのホームポジションやインクカートリッジ１６０のインクエンドを検出するための各センサ１８１ａ〜１８１ｄが、それぞれ電気的に接続されている。
【００３３】
メイン制御基板１８０上には、例えば外部のホストコンピュータやスキャナ等のホスト装置と電気的に接続するためのＩ／Ｆ（インターフェース）回路１８２と、制御動作を実行するためのＭＰＵ（Ｍｉｃｒｏ　Ｐｒｏｃｅｓｓｉｎｇ　Ｕｎｉｔ）１８３と、ＭＰＵ１８３のためのプログラム等が格納されたマスクＲＯＭ（Ｒｅａｄ−Ｏｎｌｙ　Ｍｅｍｏｒｙ）１８４と、記録データ等を一時的に格納するためのＲＡＭ（Ｒａｎｄｏｍ−Ａｃｃｅｓｓ　Ｍｅｍｏｒｙ）１８５とがそれぞれ設けられている。
【００３４】
また、メイン制御基板１８０上には、ＭＰＵ１８３からの制御信号によってＣＲモータ７１を駆動するためのＣＲモータドライバ１８６ａと、ＭＰＵ１８３からの制御信号によってＬＦモータ１０２を駆動するためのＬＦモータドライバ１８６ｂと、ＭＰＵ１８３からの制御信号によってＰＧモータ１７０を駆動するためのＰＧモータドライバ１８６ｃと、上述した各回路や素子を相互に接続するためのゲートアレイ１８７とがそれぞれ設けられている。
【００３５】
ＭＰＵ１８３は、Ｉ／Ｆ回路１８２を介して図示しないホストコンピュータやスキャナ等のホスト装置に電気的に接続されており、マスクＲＯＭ１８４内のプログラムに基づいて記録動作を制御する。具体的にはＭＰＵ１８３は、ＲＡＭ１８５内に格納されたホスト装置からの記録データに基づき、ＣＲモータ７１、ＬＦモータ１０２およびＰＧモータ１７０をそれぞれ制御するとともに、ヘッドドライバを介して記録ヘッドカートリッジ１０を制御する。
【００３６】
また、フロントパネル２００には、ディップスイッチ、キースイッチ、発光ダイオードによる表示素子（不図示）が設けられている。
【００３７】
キャリッジ２０には、上述したように記録ヘッドカートリッジ１０が取り外し可能に搭載されるとともに、キャリッジ２０の位置を検出するためのエンコーダセンサ２４が設けられている。
【００３８】
図４は、記録ヘッドカートリッジ１０の回復動作の手順を示すフローチャートである。
【００３９】
まず、図４に示すように、記録ヘッドカートリッジ１０のノズル面１８がキャップによって気密に覆われた状態で回復動作が開始されて（ステップＳ１）、ポンプによって記録ヘッドカートリッジ１０のノズル１２〜１７からインクが吸引される（ステップＳ２）。インクが所定量だけ吸引された後、ノズル１２〜１７の空吸引動作を行う（ステップＳ３）。
【００４０】
この空吸引動作では、ノズル面１８をキャップで覆った状態で、バルブ等の通気機構を開放させ、密閉されているキャップ内と外気とを通気させた状態でポンプによって吸引することで、上述のステップＳ２で吸引した際にキャップ内に充満されたインクを、ポンプの下流側に設けられたインク排出経路を通して廃インク収容部に排出する。
【００４１】
そして、キャップをノズル面１８から退避させてノズル面１８を開放した後（ステップＳ４）、ワイピング機構によって記録ヘッドカートリッジ１０のノズル面１８を拭き取って清掃するワイピング動作を行う（ステップＳ５）。キャリッジ２０が予備吐口１２２に対応する位置まで移動し記録ヘッドカートリッジ１０から予備吐口１２２に向かって所定量のインクを予備的に吐出（予備吐）する（ステップＳ６）。その後、再度ワイピング動作を行って（ステップＳ７）、キャップによってノズル面１８が気密に覆われて（ステップＳ８）、一連の回復動作が終了する（ステップＳ９）。
【００４２】
最後に、本発明の要部であるプラテン１２０に設けられたローラ部材１２１について図面を参照して説明する。図５にプラテン１２０の主面側の斜視図を示し、図６にプラテン１２０の裏面側の斜視図を示す。
【００４３】
図５に示すように、プラテン１２０の主面には、搬送時に記録シート１１０の裏面を支持することによって、記録シート１１０と記録ヘッドカートリッジ１０のノズル面１８との間の距離をほぼ一定に保つためのローラ部材１２１が回転自在に設けられている。
【００４４】
ローラ部材１２１は、キャリッジ２０に保持された記録ヘッドカートリッジ１０のノズル面１８に対向して配置されている。このローラ部材１２１は、プラテン１２０上に回転自在に設けられた支軸１２３と、この支軸１２３に一体に形成された複数の支持用ローラ１２４とを有している。
【００４５】
プラテン１２０の主面には、記録シート１１０の搬送領域の、走査方向に平行な幅に亘って開口１１９が設けられており、この開口１１９内にローラ部材１２１の支軸１２３の両端が回転自在に支持されている。
【００４６】
支軸１２３は、軸方向が、記録シート１１０の搬送方向に直交するキャリッジ２０の走査方向に平行に設けられている。そして、各支持用ローラ１２４は、支軸１２３の軸方向に、所定の間隔をあけてそれぞれ配置されている。
【００４７】
また、プラテン１２０には、図６に示すように、ローラ部材１２１の各支持用ローラ１２４に対応する位置に、支持用ローラ１２４を清掃するためのローラクリーナ１２５がそれぞれ設けられている。各ローラクリーナ１２５は、支持用ローラ１２４の外周面に摺接された清掃用ローラ１２６と、この清掃用ローラ１２６を支持する支軸１２７とを有している。
【００４８】
清掃用ローラ１２６は、インク吸収性に優れた多孔質の弾性材料によって、支持用ローラ１２４の直径よりやや大径に形成されている。また、清掃用ローラ１２６は、外周面の幅が、支持用ローラ１２４の幅よりも大きく形成されており、支持用ローラ１２４の外周面の全域に亘って良好に清掃することが可能にされている。
【００４９】
なお、本実施形態では、清掃用ローラ１２６として、例えば、ポリウレタンミクロポーラススポンジ（トーヨー衛材株式会社［株式会社リブドゥコーポレーション］製：ビセルクリーン）を採用している。
【００５０】
支軸１２７は、軸方向がローラ部材１２１の支軸１２７と平行に設けられており、プラテン１２０の裏面上に一体に形成されたリブ１２８に回転自在に支持されている。
【００５１】
以上のように構成されたプラテン１２０について、ローラクリーナ１２５が支持用ローラ１２４を清掃する動作を図面を参照して説明する。
【００５２】
図７に示すように、記録動作時に搬送された記録シート１１０が、ローラ部材１２１の支持用ローラ１２４の外周面に摺接したとき、記録シート１１０と支持用ローラ１２４との摩擦力によって、ローラ部材１２１は、記録シート１１０の送りに従動して回転される。
【００５３】
そして、ローラクリーナ１２５は、ローラ部材１２１が回転されることに伴って、支持用ローラ１２４に摺接されている清掃用ローラ１２６も回転される。このため、支持用ローラ１２４は、予備吐口１２２の周囲から飛散したインク滴が外周面上に付着した場合であっても、外周面上のインク滴が、清掃用ローラ１２６によって吸収されて除去されることで良好に清掃される。
【００５４】
したがって、インクジェット記録装置では、記録シート１１０の搬送動作に連動して、記録シート１１０の裏面を支持するローラ部材１２１の支持用ローラ１２４が、ローラクリーナ１２５によって常に清掃されている。このため、インクジェット記録装置によれば、支持用ローラ１２４に付着したインク滴が記録シート１１０に転写されることが抑えられるため、記録シート１１０の裏面がインク滴で汚損されることを最小限に抑えられる。
【００５５】
すなわち、インクジェット記録装置によれば、従来のインクジェット記録装置が備えるプラテンのリブに代えて、記録シート１１０の裏面を支持する支持用ローラ１２４を有するローラ部材１２１を回転自在に設けることによって、記録シート１１０を支持するとともに、支持用ローラ１２４をローラクリーナ１２５によって清掃することができる。
【００５６】
なお、上述したインクジェット記録装置が備えるローラ部材１２１は、搬送される記録シート１１０の移動に伴って、支持用ローラ１２４と記録シート１１０との摩擦力によって回転されるように構成されたが、上述の搬送ローラ１００と同様にＬＦモータ１０２によって駆動力が伝達されて、搬送ローラ１００の回転に同期して回転駆動されるように構成されてもよいことは勿論である。
【００５７】
また、上述したローラ部材１２１は、複数の支持用ローラ１２４が支軸１２３に一体に形成された構成が採られたが、各支持用ローラ１２４が独立して回転自在に支持される構成にされてもよい。
【００５８】
また、上述したインクジェット記録装置が備えるプラテン１２０は、記録シート１１０を支持する回転体として、複数の支持用ローラ１２４を有するローラ部材１２１が設けられる構成にされたが、例えば、記録シート１１０の裏面を支持する複数のボール状の支持体が回転自在に設けられる構成にされてもよい。
【００５９】
【発明の効果】
上述したように、本発明に係るインクジェット記録装置によれば、回転自在に設けられて記録媒体の裏面を支持する回転体と、この回転体を清掃する清掃手段とを有する媒体支持手段を備えることによって、記録手段がインク受け部にインクを吐出した際にインク受け部の周囲等から飛散して回転体に付着したミスト状インク滴が、清掃手段によって清掃されるため、回転体に付着したインク滴が記録媒体の裏面に転写されることを防止できる。したがって、媒体支持手段によって支持される記録媒体は、裏面が汚損されることが最小限に抑えられる。
【図面の簡単な説明】
【図１】本実施形態のインクジェット記録装置の全体構成を示す斜視図である。
【図２】前記インクジェット記録装置が備える記録ヘッドカートリッジおよびキャリッジの構成を示す斜視図である。
【図３】前記インクジェット記録装置が備える制御系の一例を示すブロック図である。
【図４】前記インクジェット記録装置における回復動作を示すフローチャートである。
【図５】前記インクジェット記録装置が備えるプラテンの主面側を示す斜視図である。
【図６】前記プラテンの裏面側を示す斜視図である。
【図７】支持用ローラが清掃用ローラによって清掃される動作を説明するための模式図である。
【図８】従来のインクジェット記録装置が備えるプラテンの予備吐口周辺を示す斜視図である。
【符号の説明】
１０　記録ヘッドカートリッジ
１２〜１７　ノズル
１８　ノズル面
２０　キャリッジ
２１　カートリッジセットレバー
４０　ガイド軸
５０　ガイドレール
６０　キャリッジ駆動ベルト
７０　キャリッジモータ
１００　搬送ローラ
１０２　ＬＦモータ
１１０　記録シート
１２０　プラテン
１２１　ローラ部材
１２２　予備吐口
１２３　支軸
１２４　支持用ローラ
１２５　ローラクリーナ
１２６　清掃用ローラ
１２７　支軸
１２８　リブ
１３０　予備吐吸収体
１３１　インク受け面
１４０　オートシートフィーダ
１６０　インクカートリッジ
１６１　インク滴
２１０　記録シート
１１９　開口
２２０　プラテン
２２１　リブ
２２２　予備吐口
２３０　予備吐吸収体
２３１　インク受け面
２５０　インク滴
２５１　ミスト状インク滴
２６０　空気流
【図１】
2004066713.tif 000003
【図２】
2004066713.tif 000004
【図３】
2004066713.tif 000005
【図４】
2004066713.tif 000006
【図５】
2004066713.tif 000007
【図６】
2004066713.tif 000008
【図７】
2004066713.tif 000009
【図８】
2004066713.tif 000010